Podtech/llm-jp-corpus-v4-ja_patent huggingface dataset:
(57)【要約】      （修正有）【課題】格安で軽く持ち運びのしやすい川遊び、水泳などでの浮き道具を提供する。【解決手段】ワンタッチで脱着ができ長さの調整のできる布製のベルト１にペットボトル９等を収納できる袋４を取り付け、ベルト１により使用者の腰部に固定し、水中で身体の浮力を得る。【選択図】図１
2014065476.tif 000002
【特許請求の範囲】
【請求項１】
ワンタッチで脱着ができ長さの調整のできる布製のベルトに  ペットボトル等を収納できる袋を取り付け、空のペットボトルを収納することによって水中で身体を浮かばせる浮き道具。
【発明の詳細な説明】
【技術分野】
【０００１】  本発明は、ペットボトルなどを簡単に身体に取り付け、水中に体が沈まないようにする浮き道具に関するものである。
【背景技術】
【０００２】  ペットボトル１つあれば大人でも海の中で浮くことができたと聞いた。そこで、数個のペットボトルをベルト式にして腰につければ、軽く邪魔にならないので動くのにも支障がないと考えた。しかも、材料は百円ショップを利用して２００円であったことにも魅力を感じた。
【先行技術文献】
【特許文献】
【０００３】
【特許文献１】  特許公開  ２００１−１９１９８２
【特許文献２】  実用新案公開  平５−２８３５９
【発明の概要】
【発明が解決しようとする課題】
【０００４】  私はよく船釣りをする。夏のライフジャケットは厚すぎて、釣り場に着けば脱いで手元に置く。暑くてとても身につけられない。最近はライフジャケットの新製品として腰につけるものが出た。自動又は手動で浮き輪になり浮かぶようになる。価格は１万円を超える。道具の仕掛けが腰に重さを感じる。
本発明は補助具として、浮く、暑くない、軽い、安いを求めて考案したものである。
【課題を解決するための手段】
【０００５】  上記問題点を解決するため本発明は、材料はまず少し幅のある布製のベルトを利用し、ベルトの留め部分は金属を避けプラスチックで簡単に取り扱いのできる物を選び、次に洗濯用ネットはペットボトル２リットル用が１〜３個入るものを利用する。
材料を決めてからベルトに洗濯用ネットを取り付けた。このとき、強度を考え裏地を付けてからミシンで縫い、ファスナーはベルト付近とし、念のためにネットごとベルトからとれないよう補強のための紐をつけたものである。
【発明の効果】
【０００６】  現在、補助具として海上で使用している。ペットボトル２リットル用を２本ネットに入れて使用しているが、身につけていることを忘れているくらい軽く動きやすい。このような浮き道具は安価で手に入りやすく、川遊びやプールや水泳の補助具として役に立つのではと考えた。ネットの中には浮く物であればペットボトルに限らない、水泳の補助具のスポンジとかネットに収まるような浮き袋があれば使用できるし、浮力の調整もしやすい。また、ベルトやネットにいろいろな模様や色を使えば楽しめるし、遠くにいても人の識別ができる。
水難事故のニュースが流れるたびに、浮く物があれば何とかなったはずと思ってしまう。ライフジャケットを持っていればいいのだが実際はそこまで用意できていない。
【図面の簡単な説明】
【０００７】
【図１】  本発明品の斜視図
【図２】  本発明品の使用方法の例を示す図
【発明を実施するための形態】
【０００８】以下、本発明の実施の形態を説明する。
（イ）  （１）は通常ショップで購入した布製ベルトであり、プラスチックのワンタッチ      留め具（２）のついたもので、長さを調整具（３）で調整きるものである。
（ロ）  百円ショップで購入した洗濯ネット（４）である。編み目なので強度のあるネッ      ト（５）で、出し入れができるファスナー（６）がついているものである。
（ハ）  布製のベルトに洗濯ネットを取り付ける時、補強用の裏地布（７）を使い、ペッ      トボトルをベルトに固定するための固定紐（８）をつける。
本発明は以上のような構造である。
本製品を使用するときは、ファスナー（６）の口から２リットルくらいのペットボトル（９）を１〜３本入れ、水中でペットボトルがベルトから離れないように固定紐（８）で縛る。浮力を確かめたら、少し幅のある布製ベルト（１）を胴体や胸の部分に回し、肌を傷つけないプラスチックの留め（２）でロックして、身体に合わせ調整具（３）で長さを調整する。
以上の使用するときに、浮力をつけるためのペットボトル（９）以外に水泳の補助具のスポンジ（１０）やネットに入るような浮き袋（１１）も利用できる。身体の大きさに従って浮力のあるものの数や量を調節できる。また、ネット（５）の形や色でデザインを施したり、布製ベルト（１）や留め（２）の配色を工夫したりして楽しむことができる。さらに人混みの中にいるときは、特色あるデザインを施せば目印となり使用者を探しやすい。
百円ショップなどで購入した材料をそのままの形状で試作品を作ったが、工夫を加えることができれば楽しい作品になると考えている。さらに実際に海上で利用しているが、つけているのを忘れているくらい軽く動くのに支障はない。
【符号の説明】
【０００９】１布製ベルト、２留め、３調整具、４洗濯ネット、５ネット、６ファスナー、
７裏地布、８固定紐、９ペットボトル  １０スポンジ、１１浮き袋
【図１】
2014065476.tif 000003
【図２】
2014065476.tif 000004
(57)【要約】【課題】      従来のアンダーカットゲージは、測定した位置にマークをするのに手間が掛かった。これは、アンダーカットゲージの測定部位先端部分が金属などの、筆記できない物で出来ているのでカーボン紙を挟んで圧接したり、マーカー液を塗って印をつけたり、もしくはマークされようとするものに、先端部分で傷を付けて印としないと、マークできなかった。【解決手段】  アンダーカットゲージの測定部位先端部を従来の金属などでなく、筆記具のペン先を用いることにより、測定した位置にそのままマークすることが出来る。【選択図】図１
2014065286.tif 000002
【特許請求の範囲】
【請求項１】
筆記具（１）にねじボルト側（２）と目盛り（４）を設ける。
測定竿（３）にねじナット側（７）と目盛りの指示針（６）を設け固定具（８）で固定する。
ねじボルト側（２）をねじナット側（７）の中に入れて回転することによりペン先（５）が測定竿よりどれだけ出たか目盛りによりわかるようにした、筆記具。
【発明の詳細な説明】
【技術の分野】
【０００１】この発明はサーベイヤーの付属機器で、アンダーカット量の測定および印記に関するものである。
【背景技術】
【０００２】従来のアンダーカットゲージは、アンダーカットの量を印記するには、カーボン紙を挟んだりマーカー液等を測定具の先に付けなければならなかった。
【発明の開示】
【発明が解決しようとする課題】
【０００３】これは次のような欠点があった。
任意のアンダーカット量を印記するには、計測点に筆記具が付いていないので手間が掛かった。本発明は、以上のような欠点をなくすためになされたものである。
【課題を解決するための手段】
【０００４】サーベイヤーに付属する測定竿（３）に筆記具（１）を付けて、ペン先（５）が筆記具に付いたねじボルト（２）により筆記具を回転させることにより  出し入れできるようにした。
ペン先の出具合がそのまま目盛り板（４）の目盛りにより読めるようにした。
本発明は、以上の構成によりなるアンダーカット量が可変可能な筆記具付きアンダーカットゲージである。
【発明の効果】
【０００５】本発明を使用することにより、必要とするアンダーカット量は筆記具を回転して目盛りを読む事により可能で、その位置を対象物にそのまま印記することが出来る。
【図面の簡単な説明】
【０００６】
【図１】本発明のアンダーカットゲージの斜視図
【図２】本発明のねじボルト側と目盛り板付き筆記具の部分の斜視図
【図３】本発明の測定竿指示針ねじナット側とそれらの固定具の斜視図
【図４】本発明品を市販のサーベイヤーにセットした図
【図５】本発明品で対象物を測定して印記している拡大図
【発明を実施するための最良の形態】
【０００７】以下、本発明の実施の形態を説明する。
（イ）、筆記具（１）にねじボルト（２）を設け、さらに目盛り板（４）を設ける
（ロ）、筆記具（１）につけたねじボルトにあうねじナット側（７）に指示針（６）をもうけ測定竿（３）に固定する。
（ハ）、ねじナット側（７）にねじボルト側（２）を入れる。
任意量のアンダーカットで印記する方法について説明する。
測定竿（３）の対象物と接する側とペン先（５）が同じ位置になるようにペン先（５）を調整するシャープペンの場合、筆記具のペン先と一体の芯の出し入れで大まかに調整する。
次に、筆記具（１）を廻してペン先を調整するが、ペン先（５）が対象物に接触するまでの余裕を残しておく。シャープペンの場合、ペン先を直角にしておくと正確。
次に、ペン先（５）を測定竿（３）より出したい量だけ目盛り（４）を数えながら筆記具（１）をペン先（５）が出る方向に回転させる。
１回転でねじの１ピッチが進み  目盛りの総数分分割してカウントできる。
次に、［図５］のように測定竿（３）を対象物に接触させながら上げて行きペン先（５）が対象物（１０）に接触した時点で印記する。その位置が定められたアンダーカットである。
例として、ねじの１ピッチが１ｍｍとしたら、測定竿に直角に付けられた筆記具の場合、目盛り板１回転の時ペン先は１ｍｍすすむ、目盛り板の１回転を１０分割した目盛りをつければ一回転で１ｍｍ、一目盛りで０．１ｍｍになる。
０．３５ｍｍのアンダーカットで印を付けたい場合。
まず、ペン先（５）を測定竿（３）の対象物と接する側の位置にあわせる。
次に、筆記具（１）を目盛り板（４）の目盛り３つ半をペン先（５）が測定竿（３）の対象物から出る方向に廻す。０．３５ｍｍペン先（５）が出るので、対象物に測定竿（３）を接触させながら印記する。結果、０．３５ｍｍのアンダーカットが印記できる。
筆記具を測定竿より斜めに固定する場合はその分だけ１回転でペン先の進む量は少なくなるのでそれを計算して  目盛りをつければ使える。
【符号の説明】
【０００８】  １  筆記具
２  ねじボルト
３  測定竿
４  目盛り板
５  ペン先
６  指示針
７  ねじナット側
８  ねじナット側と測定竿の固定具
【図１】
2014065286.tif 000003
【図２】
2014065286.tif 000004
【図３】
2014065286.tif 000005
【図４】
2014065286.tif 000006
【図５】
2014065286.tif 000007
(57)【要約】【課題】豆腐をカットするときまな板に出して包丁で切る手間を省くこと。【解決手段】本願発明は、豆腐をパックに入ったままの状態で縦横カットするために豆腐をカットするために最適な間隔で配置されたステンレス製の安全刃でパックの端から端へ、スライドすることにより豆腐をカットする。また、安全刃以外に豆腐を横に切る為のステンレスワイヤーを取り外しでき、持ち手部分から上は、波状の安全刃や幅の間隔が違う４つの安全刃などの、様々なアタッチメントを付け替えることができる。【選択図】図１
2014161998.tif 000002
【特許請求の範囲】
【請求項１】
豆腐をパックに入れた状態で縦横カットすることができる。
【請求項２】
豆腐をパックから出さない状態で横へ切れ込みを１〜３段出す。
完全に豆腐を両断する方式。
【請求項３】
持ち部分から上のアタッチメントは３ｃｍ  １．３ｃｍ  １．５ｃｍ  ２ｃｍ  ２．５ｃｍといった間隔の安全刃や横切り用の波状安全刃など任意で付け替えることができる。
【請求項４】
豆腐がパックに入った状態で横へ切るための方式を請求。
【発明の詳細な説明】
【発明の概要】
【発明が解決しようとする課題】
【０００１】豆腐を切る際、まな板に出し包丁等を用意して、切るのが面倒であった。
【課題を解決するための手段】
【０００２】豆腐をパックに入ったまま切ることを目的とするため横へ両断するためのステンレスワイヤーや、縦に切るためのステンレス安全刃を豆腐パックの端から端へスライドすることにより切れる。
【発明の効果】
【０００３】豆腐がパックに入った状態で、縦横切れることでまな板や、包丁を用意する必要がなく、調理をより簡単にする効果がある。
【図面の簡単な説明】
【０００４】
【図１】添付図面にて各部詳細説明を記載します。
【発明を実施するための形態】
【・・・・】
【実施例】
【・・・・】
【０００５】
【産業上の利用可能性】
【０００６】経済的に場所を取らず便利に使用できる。
【符号の説明】
【・・・・】
【受託番号】
【・・・・】
【配列表フリーテキスト】
【配列表】
【図１】
2014161998.tif 000003
【図２】
2014161998.tif 000004
【図３】
2014161998.tif 000005
【図４】
2014161998.tif 000006
【図５】
2014161998.tif 000007
【図６】
2014161998.tif 000008
【手続補正書】
【提出日】平成25年6月19日(2013.6.19)
【手続補正１】
【補正対象書類名】図面
【補正対象項目名】全図
【補正方法】変更
【補正の内容】
【図１】
2014161998.tif 000009
【図２】
2014161998.tif 000010
【図３】
2014161998.tif 000011
【図４】
2014161998.tif 000012
【図５】
2014161998.tif 000013
【手続補正２】
【補正対象書類名】明細書
【補正対象項目名】０００４
【補正方法】変更
【補正の内容】
【０００４】
【図１】即席豆腐カット機の平面図である。
【図２】即席豆腐カット機の使用方法図（１）から（３）である。  （１）横切り用ステンレスワイヤーアタッチメントを豆腐パックの端から端まで横へスライドすることで両断できる。豆腐ケースをそのままに豆腐の横面から何段かにスライスすることができる。ケースに入れたままカットできることで、まな板豆腐をあけることなく調理をできるため衛生的である。  （２）ステンレス安全刃を▲１▼と同じ要領で豆腐パックの端から端へスライドさせ、縦にカットする。パック内に豆腐が隙間なく入っている場合は、まずパック内の水を捨て豆腐のパックを傾けてステンレス安全刃を隙間に差し込みスライドする。  （３）上記の▲２▼と同じ要領で、残りの縦方向へスライドすることで、四角に豆腐をカットすることができる。図１と同じく、豆腐パックの中で切れ込みを１段入れる。図２と図３の使用方法で安全刃の切り幅２ｃｍを基準に横に一度スライスし、縦を一度同じ２ｃｍ切り幅でカットしたら囲碁盤のように正方形に綺麗にカットすることができる。安全刃の切り幅を任意の大きさに調節して正方形にカットできる。図１の豆腐横面に切れ込みを一回入れて、横縦一回ずつ。全３回スライスするだけで数十個も切り分け、豆腐の大きさを多様にアレンジすることができる。またパックの中で切り分ける事ができるので、切った豆腐をパックにそのまま保管することも出来る。
【図３】即席豆腐カット機の使用方法図（４）である。  （４）最後に、余分な大きさで切れ残った豆腐を切る場合は、図のように安全刃を豆腐パックにまたいでカットすることが出来る。種類さまざまの多様な豆腐パックに合うよう正方形の豆腐カットと長方形の豆腐カットをするのに合わせて豆腐パックの高さによって生まれる切り残しを全部活用した。豆腐を切り残しが出来るのもったいないため、そのようなことが無いように、豆腐の幅を任意でカットするアタッチメント類をつけ合わせた。大小様々な豆腐のパックサイズに即席豆腐カット機でカットした場合、切り残しを出さないため、パックの角に当てて切り幅を１．３ｃｍから設定した。平均的なパックの大きさ以上の大きさだった場合図のようにはみ出したような形でカットすれば解決できる。
【図４】即席豆腐カット機  波状ステンレスアタッチメント装着時の平面図である。
【図５】即席豆腐カット機におけるアタッチメントの種類の平面図であり、ステンレス安全刃アタッチメントの縦と横の切り幅を記載してある。
【符号の説明】
▲１▼  全体の幅  １４．３ｃｍ
▲２▼  全体の高さ  ２０．３ｃｍ
▲３▼  アタッチメントの幅  ７．１ｃｍ
▲４▼  アタッチメントの高さ  ９．３ｃｍ
▲５▼  ステンレス安全刃５本の間隔  ２ｃｍ
▲６▼  ステンレス安全刃自体の幅  ０．０５ｍｍ
▲７▼  ステンレス安全刃自体の高さ  ０．５ｃｍ
▲８▼  横切り用ステンレスワイヤーの太さ０．０４ｍｍ
▲９▼  ワイヤーまでの間隔  ２ｃｍ
▲１０▼  アタッチメントの固定具の大きさ０．５ｃｍ
▲１１▼  アタッチメント付け根部分の厚み  ０．２ｃｍ  幅１．１ｃｍ
▲１２▼  アタッチメント取り付け部分の厚み  ０．２ｃｍ  幅２．２ｃｍ
▲１３▼  持ち手部分の長さ  １１ｃｍ  幅２．３ｃｍ  太さ１ｃｍ
▲１４▼  壁掛け穴
（波状ステンレスアタッチメント）
▲１５▼  安全刃の厚み０．０６ｍｍ  波の屈曲幅０．５ｃｍ  幅０．３ｃｍ
(57)【要約】      （修正有）【課題】ずれを生じさせないための固定も簡単にでき、手を使わずに表情筋を鍛えることができるシリコンゴムベルトを提供する。【解決手段】顔の筋肉の中で最も鍛えにくいとされる目の周りの筋肉を鍛えることを目的としたシリコンゴムベルト１である。顔のどの部位の表情筋を動かしてもこめかみに動きが出ることが分かる。そのため、軸となる固定は、はちまき状に固定するシリコンゴムベルトを設ける。はちまき状ベルト２の下部は眉間・まぶた・目じりに沿って、上部は、額全体を覆うような形状にする。また、額の上部から引き上げる事を目的とする３本の帯状ベルト３、４を設け、いずれも固着・引上げ調節が出来る。【選択図】図１
2014161393.tif 000002
【特許請求の範囲】
【請求項１】
シリコンゴムにて額・眉間・まぶた・目尻に直接密着させ、シリコンゴムの帯状ベルトにて上部へ引上げ表情筋を鍛えることを特徴とするシリコンゴムベルト。
【請求項２】
シリコンゴムにて帯状ベルトを額からこめかみ、後頭部にかけてはちまき状に固定することを特徴とするシリコンゴムベルト。
【発明の詳細な説明】
【技術分野】
【０００１】
本発明は、顔の筋肉の中で最も鍛えにくいとされる目の周りの筋肉を鍛えることを目的としたシリコンゴムベルトに関する。
【背景技術】
【０００２】
従来、目の周りを鍛えるための専用の先行技術文献は存在しないため、シワが出ないよう手で押さえながら、目の下・まぶたの筋力アップを計っている。リフトアップを目的としたリフトアップターバン（特許文献１）は先行技術で知られている。
【先行技術文献】
【特許文献】
【０００３】
【特許文献１】実用新案登録  第３１１９０１７４号
【発明の概要】
【発明が解決しようとする課題】
【０００４】
上記の特許文献１の場合は、眉間にある前頭筋を鍛えるため目を大きく見開くと額にシワ発生してしまい、目の下の筋肉を上げると目じりにシワが発生してしまう。
【０００５】
軸となり固定されるものがないため、表情筋を動かすとずり落ちてしまう。そのため、自身で髪を結んで、ピンを使うなどして固定する必要があり、髪を引っ張られるという問題が生じる。更に、髪が短いとそれらの固定もできない。
【０００６】
特許文献１を自身で何とか固定し使用していると、締め付けが強すぎて、頭がうっ血しているような状態になるため、目安の使用時間の１０分も付けていられなくなる。
【０００７】
加齢と共にたるみやシワが出やすい顔の中心部にある目の下・まぶたを鍛えるような専用の商品は存在しない。そのため、シワの発生を抑えながら表情筋を鍛えるには、手での加圧及び、引上げが効果的であるが、その間、手が塞がってしまうという問題が生じる。
【０００８】
目の周りは非常にデリケートであり、シワやたるみが出やすい個所である。特に目の下は皮膚が薄いため、過剰に刺激すると、更にたるみを発生させてしまい、新たなシワやくまをも発生させてしまう可能性があるため、外部からの刺激は控えたい。
【課題を解決するための手段】
【０００９】
請求項１記載の発明は、シリコンゴムにて額・眉間・まぶた・目尻に直接密着させ、シリコンゴムの帯状ベルトにて上部へ引上げ表情筋を鍛えることを特徴とする。
【００１０】
請求項２記載の発明は、シリコンゴムにて帯状ベルトを額からこめかみ、後頭部にかけてはちまき状に固定することを特徴とする。
【発明の効果】
【００１１】
顔のどの部位の表情筋を動かしても動きが出るこめかみにあたる部分を軸とし、はちまき状に固定するため、ずり落ちるという心配がなくなる。
【００１２】
目の下は皮膚が薄いため、過度なマッサージは更にたるみやくすみ、シワを発生させてしまう原因でもあったが、シリコンゴムの帯状ベルトで引上げが出来ることで、シワの発生を抑え、皮膚に触れることなく、筋肉を鍛える事が可能となる。
【００１３】
固着には調節用面ファスナーを用いるため、顔や頭部の大きさに関わらず誰もが使用可能となる。引上げ時にも、この調節用面ファスナーを用いることで調節が可能となり手軽に装着することが可能である。  
【００１４】
手を使わなくとも表情筋を鍛える事ができるため、併用して何らかの手作業を行う事が可能。
【００１５】
上記のたるみが緩和される事で、筋肉で繋がっている頬や口角アップも期待される。
【００１６】
将来、装着しなくとも、自身で鍛えた表情筋でリフトアップされる事が期待できる。
【図面の簡単な説明】
【００１７】
【図１】本発明の展開図
【図２】本発明の装着後のイメージ斜視図
【図３】本発明の装着後のイメージ背面図
【発明を実施するための形態】
【００１８】
以下、本発明を実施するための形態を添付図形に基づいて説明する。図１は、本発明の本実施形態のシリコンゴムベルトの表面を示す展開図。図２は装着後のイメージ斜視図。図３は、装着後のイメージ背景図である。
【００１９】
図において、１はシリコンゴムベルトであり、これは収縮性と密着力のあるシリコンゴムを素材として、ずれを防ぎ、固着を目的としたはちまき状のベルト２を設ける。また、引上げを目的とした眉間引上げ用帯状のベルト３・目尻引上げ用帯状ベルト４を設ける。先部には調節が簡単に行えるよう調節用面ファスナー５６（６は裏面に面ファスナーが設けられている。）を設けたもので構成されている。また、半円形シリコン７（ツボ用）を必要に応じて使用できるようにする。
【００２０】
まず、通常通り化粧水・乳液・クリームなどで肌の手入れを行う。
【００２１】
その後、シリコンゴムベルトの下部ａを眉間・まぶた・こめかみに沿い、後頭部にて２を固着する。
【００２２】
次にｂで額全体を覆い、眉間引上げ用帯状ベルトを５に調節し固着する。
【００２３】
続いて目尻引上げ用帯状ベルト４を順にクロスし５に調節し固着する。（図２３参照）必要に応じてクロスせず真っ直ぐ固着しても良い。
【００２４】
上記で固定が出来ているため、シワの発生を抑え、安心して表情筋を鍛えることができる。更に、半円形シリコンを使用し、眼精疲労の緩和にも繋げることができる。
【符号の説明】
【００２５】
１シリコンゴムベルト
２はちまき状のベルト
３眉間引上げ用帯状ベルト
４目尻引上げ用帯状ベルト
５背面面ファスナー
６調節用面ファスナー
７半円形シリコン（ツボ用）
【図１】
2014161393.tif 000003
【図２】
2014161393.tif 000004
【図３】
2014161393.tif 000005
(57)【要約】      （修正有）【課題】腸内の微生物（善玉菌）を増殖させ、栄養の分解、吸収を助け、腸内環境を良くし、腸の働きを活発にさせる植物性豆乳ヨーグルトの乾燥パウダーを提供する。【解決手段】醗酵、熟成乾燥させたパウダーぬか床１ｇと豆乳４００ｃｃを混ぜ合わせ、摂氏２５℃〜３０℃で数時間、醗酵させることにより、植物性豆乳ヨーグルトができる。出来上がった豆乳ヨーグルトを脱水機で脱水、摂氏２５℃〜３０度で乾燥させたものを製粉機でパウダー状にする。【選択図】なし【特許請求の範囲】
【請求項１】
醗酵、熟成乾燥させたパウダーぬか床１ｇと豆乳４００ｃｃを混ぜ合わせ、摂氏２５℃〜３０℃で数時間醗酵させることにより、植物性豆乳ヨーグルトができる。出来上がった豆乳ヨーグルトを脱水機で脱水し、摂氏３０℃〜３７℃で乾燥させたものを製粉機でパウダー状にする。
【発明の詳細な説明】
【発明の詳細な説明】
【産業上の利用分野】
【０００１】この発明は、醗酵・熟成乾燥させたパウダーぬか床と豆乳を混ぜ合わせ、密閉容器に入れて、醗酵させた植物性豆乳ヨーグルトを乾燥させて、パウダーにしたものである。
【背景技術】
【０００２】従来のヨーグルトは動物の乳又は、脱脂粉乳で作る動物性乳酸菌ヨーグルトで、液状もしくは、粘着性のある固体である。
【発明が解決しようとする課題】
【０００３】従来のヨーグルトは、動物性乳酸菌で作るため、胃酸で乳酸菌が死滅することが多く、腸まで乳酸菌が届かず、腸内環境を整えることができない。また、常温保存ができず、保存期間も短い。
【課題を解決しようとする手段】
【０００４】豆乳でつくることにより出来る植物性乳酸菌の豆乳ヨーグルトで解決でき、乾燥させているので常温で保存ができる。
【発明の効果】
【０００５】植物性乳酸菌は、善玉菌の数が多く、植物繊維と同時に吸収されるため、胃酸で乳酸菌が死滅することなく、腸まで乳酸菌が届くことによって、整腸作用が働き、腸内環境を整えることができる。
また、乾燥させているので保存が常温でよい。
【図面の簡単な説明】
【図１】本案の豆乳ヨーグルトパウダー
【符号の説明】１．  豆乳ヨーグルトパウダー
２．  密封容器
【図１】
2014161334.tif 000002
(57)【要約】【課題】豆腐を均一な大きさで切ること。【解決手段】市場で売られている一般的な豆腐を丁度いい大きさに切れるよう、あらかじめ決められたサイズでカットするために配置されたステンレスワイヤーを豆腐に当て付けて、本体をスライドさせるか豆腐自体を押し付けて切る。【選択図】図１
2014161332.tif 000002
【特許請求の範囲】
【請求項１】
豆腐横に切るためのステンレスワイヤー間隔幅のインチ数１ｃｍ〜３ｃｍまでを請求する。
【請求項２】
３面それぞれのステンレスワイヤーの間隔幅１．５ｃｍ  ２ｃｍ  ２．５ｃｍ  を請求する。
【請求項３】
ステンレスワイヤーの長さ１４．２ｃｍまでを請求する。
【請求項４】
ステンレスワイヤーの太さ０．０２ｍｍ〜０．０４ｍｍを請求する。
【請求項５】
豆腐をカットするための方式を請求する。
【発明の詳細な説明】
【発明の概要】
【発明が解決しようとする課題】
【０００１】豆腐を均一な大きさで切ること。
【課題を解決するための手段】
【０００２】市場で売られている一般的な豆腐を丁度いい大きさに切れるよう、あらかじめ決められたサイズでカットするために配置されたステンレスワイヤーを豆腐に当て付けて、本体をスライドさせるか豆腐自体を押し付けて切る。
【発明の効果】
【０００３】本発明の三面それぞれ異なる大きさで切るれよう配置されたステンレスワイヤーにより幾通りの豆腐の大きさや厚みを作り出すことができ、調理の幅が広がり手間もかからず便利になる。
【図面の簡単な説明】
【０００４】
【図１】豆腐カット用ケースの斜視図である。
【図２】豆腐カット用ケースの各部説明である。
【図３】豆腐カット用ケースの使用説明図である。
【発明を実施するための形態】
本体は正四角形のステンレスで形成され、総本数２１本のステンレスワイヤーが三面に配置されており、また切り終わった豆腐を乗せる皿としての一面がある。
【実施例】
【・・・・】
【０００５】
【産業上の利用可能性】
【０００６】特に飲食業界において、包丁を用いずに豆腐を速く切ることができるため作業の簡略化ができる。
【符号の説明】
【・・・・】
【受託番号】
【・・・・】
【図１】
2014161332.tif 000003
【図２】
2014161332.tif 000004
【図３】
2014161332.tif 000005
(57)【要約】      （修正有）【課題】ぬか漬けや豆乳ヨーグルトを食べ易くし、これらに含まれる食物繊維や植物性乳酸菌等が腸内環境を良くする、保存のよい製品を提供する。【解決手段】野菜や肉類をぬか漬けしたものや醗酵した豆乳ヨーグルトを摂氏−３０度〜−６０度程度で急速に凍結し、さらに減圧して真空状態で水分を昇華させ乾燥するフリーズドライ製法によりできたものを粉末にしふりかけ状に、袋詰めした製品とする。野菜嫌いまたは、ヨーグルト嫌いがフリーズドライにし、ふりかけ状にすることにより食べ易く、ぬか漬け又は豆乳ヨーグルトの品質、風味を損なわず長期保存することができる。【選択図】なし【特許請求の範囲】
【請求項１】
ぬか漬けした野菜や肉類、及び豆乳で作ったヨーグルトをフリーズドライにして、粉末にしふりかけ状にする。
【発明の詳細な説明】
【発明の詳細な説明】
【産業上の利用分野】
【０００１】この発明は、醗酵・熟成乾燥させたぬか漬け美人パウダーでつくる豆乳ヨーグルトや野菜又は肉類のぬか漬けをフリーズドライにして、ふりかけ状にしたもの。
【背景技術】
【０００２】従来のぬか漬けやヨーグルトは、水分が多くて痛みやすく日持ちがしない。
【発明が解決しようとする課題】
【０００３】従来のぬか漬けやヨーグルトは、水分が多い為、常温保存ができず、保存期間も短い。従って、フリーズドライにして粉末にし、密封容器にいれることにより、使いやすく長期間保存ができる。
【課題を解決しようとする手段】
【０００４】フリーズドライにし粉末状にすることにより、常温保存、長期間の保存が可能となる。
【発明の効果】
【０００５】ぬか漬けもヨーグルトも漬込んだ時と同様風味は変わらず、ふりかけ状にすることにより、食べ易く善玉菌や植物繊維を多くとることができる。また、長期保存ができる。
【図面の簡単な説明】
【図１】本案のふりかけ状にしたぬか漬け又は豆乳ヨーグルト
【符号の説明】１．  原料  ぬか漬け美人（商標登録第５４４３７９４号）、野菜、肉類、豆乳ヨーグルト
２．  ぬか漬け美人をまぶす。又は、ぬか漬けした漬物
３．  フリーズドライ
４．  製粉
５．  袋詰め
６．  製品
【図１】
2014161335.tif 000002
(57)【要約】【課題】  本発明は腰痛や体の疲れを癒す背骨矯正具と専用カバーケースをセットにした健康器具を提供する。【解決手段】  半月柱状の基台で背枕を形成し、身体に押し当てる面には背骨をやさしく受け留める溝を設け、その反対面には押圧加減板を付け外し式に設置し、背枕の両サイドにベルトを設け、背枕全体を専用のカバーケースに入れ、ポーチ風に携帯して、人目を気にせず、いつも自由にさり気なく、腰部や身体に押圧をかけて背骨を気持ちよく矯正する運動ができることを特徴とする背骨矯正具と専用カバーケースをセットにした健康器具。【選択図】図２
2014161710.tif 000002
【特許請求の範囲】
【請求項１】
半月柱状の基台で形成した背枕の膨らんだ上面の中央部に、幅および深さ共に約３〜４ｃｍの窪んだ背骨受け溝を設け、基台の左右両側面、すなわち基台側壁中央部のベルト取り付け部に、それぞれベルトの一端を取り付け、基台の外側底面に、取り外し可能な押圧加減板を設け、さらに基台とは別に、基台全体を包み込む形の専用カバーケースを形成し、専用カバーケースの上面に長手方向に中央を走るジッパーを設け、カバーケースの左右両側壁にそれぞれベルトを通すためのスリットを設けることを特徴とする背骨矯正具と専用カバーケースをセットにした健康器具。
【発明の詳細な説明】
【技術分野】
【０００１】  本発明は腰痛や体の疲れを癒す背骨矯正具と専用カバーケースをセットにした健康器具に関するものである。
【背景技術】
【０００２】  従来の腰の健康器具は、器具を装着するのに適した椅子などがなければ使用できず、あるいは腰巻き帯などで衣服の内側に装着するものは、衣服の膨らみなどで人目を気にせざるをえなかった。
体に疲れが溜ったり、腰痛があっても、体操や背伸び位で癒す程度であった。
また、枕状のウレタンクッション材を詰めた姿勢矯正腰あて枕も知られている（特許文献１参照）。
弾性材で形成したパットを腹巻に取り付けた腰パット付き付加機能を備えた腹巻きも知られている（特許文献２参照）。
【先行技術文献】
【特許文献】
【０００３】
【特許文献１】  特開２０００−１８５０６３号公報
【特許文献２】  特開平９−２２４９６６号公報
【発明の概要】
【発明が解決しようとする課題】
【０００４】  そのために、次のような問題点がある。
（イ）姿勢矯正腰あて枕はイスシートに装着して使用するため、使用するには装着に適し    た物や場所がなければ使用することはできなかった。
（ロ）腰パット付加機能を備えた腹巻きは、自宅で就寝時に使うくらいしか利用できなか    った。
また、腹巻きなど、特に女性や若い人には好まれなかった。
本発明は、以上の問題点を解決するものである。
【課題を解決するための手段】
【０００５】  半月柱状の基台で形成した背枕の膨らんだ上面の中央部に幅、および、深さ共に約３〜４ｃｍの窪んだ背骨受け溝を設け、基台の左右両側面、すなわち基台側壁中央部のベルト取り付け部に、それぞれベルトの一端を取り付ける。
基台の外側底面に取り外し可能な押圧加減板を設ける。
基台とは別に基台全体を包み込む形の専用カバーケースを形成し、専用カバーケースの上面に長手方向に中央を走るジッパーを設け、専用カバーケースの左右両側壁面に、それぞれベルトを通すためのスリットを設ける。
以上を特徴とする背骨矯正具と専用カバーケースをセットにした健康器具である。
【発明の効果】
【０００６】  本発明を使用することによって、従来のように決められた場所や適当な被装着物がある所でしか利用できないという制限から自由になる。
場所を選ばず使用でき、携帯して移動中も人目を気にせず使用できる。
自分の腰に巻いて移動できるので、通勤時のバス、電車、またマイカー内など、好きな場所で使用できる。
とくに、タクシー乗務員、長距離ドライバーには最適な指圧器となる。
寝て使用するときは、押圧が強くなるので、押圧加減板を外し、自分に適合した加圧にすることができる。
また、腰に巻いて携帯する形での移動中も、全く普通のポーチに見えるので、人目を気にする必要がない。
【図面の簡単な説明】
【０００７】
【図１】  本発明の一部である背骨矯正具の斜視図である。
【図２】  本発明の背骨矯正具と専用カバーケースのセットの一部の全体を示した外観の斜視図である。
【発明を実施するための形態】
【０００８】  以下、本発明の実施の形態について説明する。
半月柱状の基台（１）で形成した背枕の膨らんだ枕部上面の中央部に、幅および深さ共に約３〜４ｃｍの窪んだ背骨受け溝（２）を設け、基台（１）の左右両側面、すなわち基台側壁（１０）中央部のベルト取り付け部（３）に、それぞれベルト（４）の一端を取り付ける。
基台（１）の外側底面に取り外し可能な押圧加減板（５）を設ける。
基台（１）とは別に基台（１）全体を包み込む形の専用カバーケース（８）を形成し、専用カバーケース（８）のケース上面（１１）に長手方向に中央を走るジッパーを設け、専用カバーケースの左右のケース側壁（１２）にそれぞれベルト（４）を通すためのスリット（６）を設ける。
本発明は以上のような構成である。
本発明を使用するときは、ポーチ風の専用カバーケース（８）の左右のケース側壁のスリットから出ているベルト（４）を腰に巻き、バスや電車、車などの座席やドアなどに腰を押し当てるようにして使用できる。
もっと強い押圧を加えたいときは、押圧加減板（５）を取り付けて使用する。
また、畳などに寝て使用すれば、押圧は強くなる。
自分の体重で押圧するので安全であり、好みの圧を加えることができる。
職場でも自分の席のイスにベルトで固定して使用することもできる。
通勤時、街を歩くときも、ポーチ風のカバーケースなので人目を気にせず平気で身に付けて歩ける。
基台（１）の身体に当る面に保温剤などを貼って使用すると寒い冬場などは、背や腹が専用カバーケース越しに和らかく温められ、体調を好ましく維持できる。
【符号の説明】
【０００９】  １  基台
２  背骨受け溝
３  ベルト取り付け部
４  ベルト
５  押圧加減板
６  スリット
７  ジッパー
８  専用カバーケース
９  上面枕部
１０  基台側壁
１１  ケース上面
１２  ケース側壁
【図１】
2014161710.tif 000003
【図２】
2014161710.tif 000004
(57)【要約】【課題】  この発明は、保護カバー付きの器にセット部が伸縮自在の飾り花器セットで、飾り花の花セット部が伸縮するので器を選ばず飾り花を飾れ、また、花をできるだけ当初の綺麗な状態で長期間保つことができるように構成した保護カバーも付けることができるので、家の中はもちろん、たとえば、仏壇の花立てやお墓の花立てにも挿入して飾れる飾り花器を提供する。【解決手段】  伸縮クッション材（５）に台板（２）を設け、伸縮クッション材（５）に保護カバー接着部（４）、花差し入れくち（３）を設け、花差し入れくち（３）に飾り花（６）を取り付け、台板（２）に保護カバー（１）を設けたことを特徴とする飾り花器。【選択図】図２
2014161719.tif 000002
【特許請求の範囲】
【請求項１】
伸縮クッション材（５）に台板（２）を設け、伸縮クッション材（５）に保護カバー接着部（４）、花差し入れくち（３）を設け、花差し入れくち（３）に飾り花（６）を取り付け、台板（２）に保護カバー（１）を設けたことを特徴とする飾り花器。
【発明の詳細な説明】
【技術分野】
【０００１】  この発明は、保護カバー付きの器にセット部が伸縮自在の飾り花器セットで、飾り花の花セット部が伸縮するので器を選ばず飾り花を飾れ、また、花をできるだけ当初の綺麗な状態で長期間保つことができるように構成した保護カバーも付けることができるので、家の中はもちろん、たとえば、仏壇の花立てやお墓の花立てにも挿入して飾れる飾り花器に関するものである。
【背景技術】
【０００２】  従来は、花をセットする場合、剣山、サハラ、オアシスなどに器に合わせて使用している。
また、墓に供える花は霊前用に選択された生花を墓石の前部左右に設けられた花立てに挿入して飾られている。
従来、組立式のフラワーケースが提案されていた。（特許文献１参照）
【先行技術文献】
【特許文献】
【０００３】
【特許文献１】  特開２０１２−３０８２８号公報
【発明の概要】
【発明が解決しようとする課題】
【０００４】  従来、飾り花セットは、器付で販売されており、既存の器に挿入できなかった。
また、いままで墓前に供えた花は気温の変化や風雨に晒されやすく供花の価値が短時間で失われる欠点があり、遠く離れていて滅多に墓参りができない人や体が不自由な人はお墓に花を供えておくことは難しかった。
本発明は生け花の心得がない人や、既存の器に花を飾りたい人が、手軽に花を飾ることを楽しめるようにする。
また、たとえば、墓に取り付けられている花立を利用し、保護カバー付飾り花を提供することで、花を保護し長持ちさせられるので、さまざまな事情で墓参りできない人のお墓にも常にお花を供えられている状態を提供することを目的とする。
本発明は、以上のような欠点をなくすためになされたものである。
【課題を解決するための手段】
【０００５】    伸縮クッション材（５）に台板（２）を設け、伸縮クッション材（５）に保護カバー接着部（４）、花差し入れくち（３）を設け、花差し入れくち（３）に飾り花（６）を取り付け、台板（２）に保護カバー（１）を設ける。
本発明は、以上の構成になる飾り花器である。
【発明の効果】
【０００６】  上記のように構成された本考案を利用すると次のような効果がある。
（イ）飾り花セット部が伸縮するので既存の器にセットして飾れる。
（ロ）生け花の心得がなくても器にセット部を挿入するだけで飾れる。
（ハ）お墓の場合、保護カバー付飾り花セットを花立てに挿入するだけで、花は短期間で    価値を失うことはなく綺麗な状態が続くので墓の周辺に長時間明るい雰囲気が漂う。
（ニ）滅多に墓参りのできない人や、体の不自由な人であっても、本発明を利用すること    によって、常に新鮮な花が供えられているのでこまめに墓参りしているようにみえる    し、気持ちも楽になる。
【図面の簡単な説明】
【０００７】
【図１】  本発明の分解した状態を示した斜視図である。
【図２】  本発明を組み立てた使用状態を示した説明図である。
【発明を実施するための形態】
【０００８】  以下に、本発明を実施するための形態について説明する。
伸縮するクッション材（５）に台板（２）を設ける。
台板（２）の中央に花差し入れくち（３）の穴を設ける。
伸縮クッション材（５）を台板（２）と接着する。
台板（２）の穴から伸縮クッション材（５）に飾り花（６）をバランス良く差し入れて固定する。
室外使用は、飾り花（６）をセットした台板（２）に保護カバー（１）を設け、台板（２）に保護カバー（１）を固定する。
飾り花（６）の花をセットする部所が伸縮する飾り花器のセットである。
また、飾り花（６）を気温の変化や風雨からまもれるよう花を保護しているカバー付の飾り花器のセットである。
上記目的を達成するため本発明は、伸縮するクッションのある素材に、花を保護できる透明なカバーが取り付けられる台座を接着し、クッション部に花を飾る。
【符号の説明】
【０００９】  １  保護カバー
２  台板
３  花差し入れくち
４  保護カバー接着部
５  伸縮クッション材
６  飾り花
【図１】
2014161719.tif 000003
【図２】
2014161719.tif 000004
(57)【要約】【目的】  本発明は、マスクの周囲に接着面（Ａ）をもうけ、皮膚に直接貼り付けてマスク周囲からの外気進入を完全に遮断することができる貼るマスクに関する。【解決手段】接着剤やテープなどでマスクの周囲に接着面（Ａ）をもうけ、マスクの周囲接着面（Ａ）を皮膚に貼りつけて用いる。【選択図】図１
2014161715.tif 000002
【特許請求の範囲】
【請求項１】
マスクの外周囲の内側に、テープや接着剤等で接着面をもうけた貼るマスク。
【発明の詳細な説明】
【技術分野】
【００１】この発明は、マスクの内側の周囲にテープや接着剤等で接着面もうけた貼るマスクに関するものである。
【背景技術】
【００２】従来は、マスクの両端にゴムひも等を取り付けて、それを耳に掛けて用いていた。
しかし、マスクの周囲が肌と密着するのは不可能で、マスクの周囲からは、外気と共に花粉や汚染物質等が進入し、マスク本来の目的であるフィルターとしての役割を、完全に発揮することができなかった。
【発明の概要】
【発明が解決しようとする課題】
【００３】マスクの周囲から、外気や花粉、汚染物質、病原菌等が進入するのを完全に防ぐことを目的とする。
【課題を解決するための手段】
【００４】マスク内側の外周部分にテープや接着剤等の接着面をもうけて、皮膚に接着部を貼り付ける。
【発明の効果】
【００５】マスク内側周囲のテープや接着剤等の接着面が皮膚に張り付いて、接着面は皮膚と完全に密着し、マスク周囲からの外気進入を完全に防ぎ、マスク本来のフィルター機能を１００パーセント発揮させることが可能となる。【００６】マスクは、接着面により皮膚に接着するので、耳に掛けていたひもをなくすことができる。【００７】耳に掛けるひもをなくしたので、マスクは自由な形状のデザインをすることが可能となる。
【図面の簡単な説明】
【図１】貼るマスクとその接着面（Ａ）を示した平面図である。
【実施例】
【００８】実施例について説明すると、図１のマスクのように、マスクの周囲を皮膚に密着させるために、接着剤やテープ等を用いた接着面（Ａ）を構成する。
【産業上の利用可能性】
【００９】本発明の貼るマスクは、外気の１００パーセントがマスクのフィルターを通過するので、マスクのフィルターを変えることで、目的の汚染物質を除去することが可能となる。埃や汚染物質、細菌などの多い職場での作業や外出時の花粉や汚染物質（ＰＭ−２．５）、細菌などの防御に効果を発揮する。
【符号の説明】
【０１０】Ａ−接着面、Ｂ−マスクフィルター
【図１】
2014161715.tif 000003
(57)【要約】      （修正有）【課題】誰でも自在に花を挿せる花入れを提供する。【解決手段】本体容器１の内側に突起部４を設けて本体容器１の内円周よりもやや小さめの外周をもつ皿様容器２に複・多数の穴３を設けて本体容器１の内側に皿様容器４を重ねて突起部４で止めて皿様容器に挿した花が本体容器の上部で支えられて倒れない構造からなる誰でも自在に挿せる花入れ。【選択図】図２
2014161720.tif 000002
【特許請求の範囲】
【請求項１】
本体容器（１）の内側に突起部（４）を設けて本体容器（１）の内円周よりもやや小さめの外周をもつ皿様容器（２）を重ねて止めた誰でも自在に挿せる花入れ。
【請求項２】
本体容器（１）の内側に突起部（４）を設けて本体容器（１）の内円周よりもやや小さめの外周をもつ皿様容器（２）に複・多数の穴（３）を設けて本体容器（１）の内側に重ねて突起部（４）で止めた誰でも自在に挿せる花入れ。
【請求項３】
本体容器（１）の内側に突起部（４）を設けて本体容器（１）の内円周よりもやや小さめの外周をもつ皿様容器（２）に複・多数の穴（３）を設けて本体容器（１）の内側に皿様容器（４）を重ねて突起部（４）で止めて皿様容器に挿した花が本体容器の上部で支て二重に倒れない誰でも自在に挿せる花入れ。
【発明の詳細な説明】
【技術分野】
【０００１】  本発明は花が挿しやすくて倒れない誰でもじょうずに生けられる自在に挿せる花入れに関するものである。
【背景技術】
【０００２】  従来、剣山等があった。
【先行技術文献】
【特許文献】
【０００３】
【特許文献１】  特開２００６−２４１９５６
【特許文献２】  特開２００２−３４５３３６
【発明の概要】
【発明が解決しようとする課題】
【０００４】  本発明は花を挿すとき倒れやすく挿しづらくて手軽さに欠ける花入れの問題点を解決するためになされたものである。
【課題を解決するための手段】
【０００５】    本体容器（１）の内側上部に突起部（４）を設けて本体容器（１）の内側円周よりもやや小さめの外周をもつ皿様容器（２）に複・多数の穴（３）を設けて本体容器（１）の内側に皿様容器（２）を沈めて突起部（４）で止めた誰でも自在に挿せる花入れを提供して課題を解決する。
以上のように構成された誰でも自在に挿せる花入れである。
【発明の効果】
【０００６】  皿様容器（２）の穴（３）に花茎を入れるだけで誰でも花を上手に生けられた。
本体容器（１）が皿様容器（２）よりも高さがあってさらに花を支えた。
便利に花を生けることができた。
「優美」「愉しい」「便利」な花入れによって花に親しいライフシーンが生まれた。
サイズや形状を変化させることで手軽さ、優美さからショップ、サロン、店舗、オフィス等の多様なビジネスシーンを演出することができた。
【図面の簡単な説明】
【０００７】
【図１】  本発明の使用状態図である。
【図２】  本発明の斜視図である。
【発明を実施するための形態】
【０００８】  以下、本発明の実施の形態について説明する。
本体容器（１）の内側上部に突起部（４）を設けて本体容器（１）の内円周よりもやや小さめの外周をもつ皿様容器（２）に複・多数の穴（３）を設けて本体容器（１）の内側に皿様容器（２）を沈めて重ねて突起部（４）で止めた誰でも自在に挿せる花入れ。
本発明を使用するときは、本体容器（１）に水を入れて皿様容器（２）を重ねて飾る花（植物等）を穴（３）に挿し入れて所定の場所に飾る。
【符号の説明】
【０００９】１  本体容器
２  皿様容器
３  穴
４  突起部
【図１】
2014161720.tif 000003
【図２】
2014161720.tif 000004
(57)【要約】【課題】  この発明は、鼻緒本体の上部をフィン（潜水用足ひれ）状にした鼻緒を各人の足指位置に合わせて靴中敷に接着し、靴に装着して使用するために、弾力性のある合成樹脂等で成形した靴中敷接着用特殊鼻緒を提供する。【解決手段】  鼻緒本体（１）の上部をフィン（潜水用足ひれ）状にしたことを特徴とする靴中敷接着用特殊鼻緒。【選択図】図１
2014161717.tif 000002
【特許請求の範囲】
【請求項１】
鼻緒本体（１）の上部をフィン（潜水用足ひれ）状にしたことを特徴とする靴中敷接着用特殊鼻緒。
【発明の詳細な説明】
【技術分野】
【０００１】  この発明は、鼻緒本体の上部をフィン（潜水用足ひれ）状にした鼻緒を各人の足指の位置に合わせて靴中敷に接着し、靴に装着して使用するために、弾力性のある合成樹脂等で成形した靴中敷接着用特殊鼻緒に関するものである。
【背景技術】
【０００２】  靴の中で足がずれることを防止し、靴と足との一体感を高める目的で足指用器具が提案されているが、靴中敷に逆Ｕ字状植毛テープで接着するけれども、靴内の天井部分に接着するものではないため、足指用器具がぐらつきやすい。
また、靴の中で足がずれることを防止し、靴と足との一体感を高める目的で鼻緒付き靴中敷が提案されているが、既製品としての鼻緒付き靴中敷であって、成形された鼻緒を各人の足指位置に合わせて各人が接着できるようにしたものではない。
たとえば、次のような足指用器具が提案されている。
足の親指および人差し指に負担がかかるのを解消することができるとともに、運動中における足の親指と人差し指による踏ん張り力を向上することができる足指用器具である。（特許文献１参照）
また、たとえば、次のような鼻緒付き靴中敷が提案されている。
靴中敷の親指と第２指との指間股部に位置するように立設された扁平形状の鼻緒と、それに連なり、左右に分かれて伸びて足の甲側から側部にいたる間を押さえるように設けられた扁平形状の紐部とからなる鼻緒付き靴中敷である。（特許文献２参照）
また、たとえば、次のような鼻緒付き靴中敷が提案されている。
足指で踏ん張ることができるように複数の鼻緒で足指を支えるため、複数の鼻緒を中敷に設けた鼻緒付き靴中敷である。（特許文献３参照）
また、たとえば、次のような鼻緒付き靴中敷が提案されている。
足の踏みしめを強固にする草履状の靴の中敷である。（非特許文献４参照）
あるいは、下駄または草履の鼻緒に相当する柱状突起部を足指が自然に挟み込み、踏みしめが強固となる靴の中敷である。（非特許文献５参照）
【先行技術文献】
【０００３】
【特許文献１】特開２００９−２５４６８０号公報
【特許文献２】特開２００７−２２９３７８号公報
【特許文献３】特開２００８−１４２４４７号公報
【非特許文献４】実登第３０６４１６５号公報
【非特許文献５】実登第３０６５６７２号公報
【非特許文献６】実登第３０６５６７３号公報
【発明の概要】
【発明が解決しようとする課題】
【０００４】  従来のものには次のような欠点があった。
汎用性のある既製品としての鼻緒付き靴中敷は、各人の足指位置に合わせて鼻緒を接着するものではないため、各人の足指位置にぴったり合ったものではない。
また、鼻緒によって足の左右へのずれについては防止できるが、鼻緒を足指で挟むだけでは、前後へのずれを十分に防止できるものではない。
さらに、足指用器具の下部は靴中敷に接着するが、上部は靴内の天井部分に接着しないため、足指用器具がぐらつきやすい。
本発明は、以上のような欠点をなくすために考えたものである。
【課題を解決するための手段】
【０００５】  鼻緒本体（１）の上部をフィン（潜水用足ひれ）状にしたことを特徴とする靴中敷接着用特殊鼻緒。
本発明は以上のような特殊鼻緒である。
【発明の効果】
【０００６】  各人の足指位置に合わせて特殊鼻緒を接着した中敷を靴に装着すれば、靴の中で足がずれ難くなり、足と靴との一体感が増し、歩きやすく、走りやすくなり、また、力を入れやすくなるので運動機能が高まる。
ハイヒールのように傾斜のある靴においては、足が前へずれ難くなる。
また、特殊鼻緒が指を固定するので外反母趾の防止や矯正にも役立つ。
また、親指と第２指の間のみの通常の特殊鼻緒だけでなく、第４指と第５指の間にも鼻緒のあるものや、すべての指間に鼻緒のあるものも可能である。
また、足の左右へのずれだけでなく、鼻緒の中敷への接着部分を足指の付け根の谷間に沿うように左右に伸ばしているので、足の前後へのずれも防止できるので、足がずれることによるエネルギー・ロスを抑制する効果がある。
また、鼻緒の上部をフィン（潜水用足ひれ）状にして、靴に装着したとき、靴内の天井部分に押し当たる構造としているので、この特殊鼻緒がぐらつきにくい効果がある。
さらに、合成樹脂等で成形した特殊鼻緒なので、削ったり長さをカットしたり、特殊鼻緒の接着部分のアーチの角度を多少変えるなどの微調整ができるので、各人の足指の形状へのフィティングが可能である。
弾力性のある合成樹脂等で成形した特殊鼻緒を、各人の足指位置に合わせて中敷に接着し、靴に装着して使用する。
【図面の簡単な説明】
【０００７】
【図１】本発明の立体図である。
【図２】本発明の使用状態を示した平面図である。
【発明を実施するための形態】
【０００８】  以下、本発明の実施をするための形態について説明する。
弾力性のある合成樹脂等で成形した鼻緒本体（１）の上部をフィン（潜水用足ひれ）状にしたことを特徴とする靴中敷接着用特殊鼻緒。
鼻緒の上部をフィン（潜水用足ひれ）状にすることによって、靴の天井部分に押し当たる構造として鼻緒のぐらつきをなくすようにし、また、鼻緒の中敷への接着部分を各足指の付け根の谷間に沿うように左右に伸ばすことによって、足の前後へのずれも防止できるよう、特殊鼻緒を各人の足指位置に合わせて靴中敷に接着する。
本発明は以上のような構造である。
本発明を使用するときは、この特殊鼻緒を各人の足指位置に合わせて靴中敷に接着したうえで、履く靴に装着する。
【符号の説明】
【０００９】  １  成形した特殊鼻緒
２  靴中敷
３  靴
【図１】
2014161717.tif 000003
【図２】
2014161717.tif 000004